(57)【特許請求の範囲】
【請求項１】
送電線鉄塔のアームの左右両側にそれぞれ設けられた耐張がいし装置を介して張設された送電線を接続するジャンパ線に、一端が前記耐張がいし装置の先端側に結合されたジャンパ支持装置の他端を結合してそのジャンパ線を張設するジャンパ装置であって、前記ジャンパ線は、前記送電線の延長部分である多導体をスペーサで保持して構成されているものにおいて、
前記ジャンパ支持装置の一端は、前記耐張がいし装置の先端側に回動自在に結合され、かつ、前記ジャンパ支持装置の他端は、前記ジャンパ線の多導体のうち、上方に位置する導体に取付けられた取付金具に結合されていることを特徴とするジャンパ装置。
【請求項２】
ジャンパ支持装置は、上方に位置する導体に取付けられた取付金具に回動自在に結合されていることを特徴とする請求項１に記載のジャンパ装置。
【発明の詳細な説明】
【０００１】
【発明の属する技術分野】
本発明は、送電線を送電線鉄塔に支持する耐張がいし装置に設けられるジャンパ支持装置を介してジャンパ線を支持するジャンパ装置に関する。
【０００２】
【従来の技術】
従来、ジャンパ装置は、送電線鉄塔（以下、「鉄塔」という。）のアームの左右両側にそれぞれ設けられた耐張がいし装置にジャンパ支持装置を設け、それらジャンパ支持装置の下端の間に剛性の水平材を設けるとともに、その水平材にジャンパ線を添設して構成されている（例えば、実開昭６０−５１７２５号公報等）。
【０００３】
また、上述の水平材を用いるジャンパ装置は、装置が大掛かりになるので、これを避けるために、両ジャンパ支持装置の下部でジャンパ線を直接支持して張設するジャンパ装置も提案されている。
【０００４】
【発明が解決しようとする課題】
しかしながら、ジャンパ線をジャンパ支持装置で直接張設する上記従来のジャンパ装置は、ジャンパ線が多導体からなるときは、多導体の各条に均一に張力を印加するための施工作業が複雑になり、また、ジャンパ線とジャンパ支持装置との接続部分が複雑化するおそれがあった。
【０００５】
そこで、本発明は、上記欠点を解決するためになされたものであって、その目的は、ジャンパ線張設施工作業の簡便化と、多導体からなるジャンパ線とジャンパ支持装置との接続部分の簡素化を図ることできるジャンパ装置を提供することにある。
【０００６】
【課題を解決するための手段】
本発明は、上記目的を達成するために、送電線鉄塔のアームの左右両側にそれぞれ設けられた耐張がいし装置を介して張設された送電線を接続するジャンパ線に、一端が前記耐張がいし装置の先端側に結合されたジャンパ支持装置の他端を結合してそのジャンパ線を張設するジャンパ装置であって、前記ジャンパ線は、前記送電線の延長部分である多導体をスペーサで保持して構成されているものにおいて、前記ジャンパ支持装置の一端は、前記耐張がいし装置の先端側に回動自在に結合され、かつ、前記ジャンパ支持装置の他端は、前記ジャンパ線の多導体のうち、上方に位置する導体に取付けられた取付金具に結合されていることを特徴としている。
ジャンパ支持装置は、上方に位置する導体に取付けられた取付金具に回動自在に結合されていることが望ましい。
【０００７】
【発明の実施の形態】
以下、本発明の実施の形態を図面に基づいて説明する。図１は、一実施の形態に係るジャンパ装置の概略構成図であり、鉄塔（図示省略）に設けられたアームａの左右両側には、耐張がいし装置１ａ，１ｂがそれぞれ設けられており、それら耐張がいし装置１ａ，１ｂの先端部（アームａから遠い側の端部）には、４導体（線条）からなる送電線Ｌ，Ｌがそれぞれ張設されている（後述の図２及び図３参照）。
図１には、図面の簡略化のためアームが一つしか示されていないが、鉄塔にはそのアームの上方又は下方に他のアームが設けられ、各アームに他の耐張がいし装置を介して送電線及びジャンパ装置が取付けられる。
【０００８】
ジャンパ線Ｊは、耐張がいし装置１ａ，１ｂの先端部間において送電線Ｌを延長して構成され、したがって、４導体から構成され、耐張がいし装置１ａ，１ｂ及びアームａの下方に設けられている。そして、そのジャンパ線Ｊは、図２に拡大して示されているように、スペーサＳにより所定の間隔に保たれている。このスペーサＳは、ジャンパ線Ｊの長手方向に沿って、所定の間隔を保って複数個設けられている。
【０００９】
ジャンパ線Ｊは、両側がジャンパ支持装置２ａ，２ｂによりそれぞれ支持されて、ほぼ水平となるように張設されている。すなわち、ジャンパ支持装置２ａ，２ｂは、その一端が耐張がいし装置１ａ，１ｂの先端部に取付金具３ａ，３ｂを介してそれぞれ回動自在に支持されている。さらに、それらジャンパ支持装置２ａ，２ｂの他端は、図３（ａ），（ｂ）に拡大して示されるように、４導体からなるジャンパ線Ｊのうち、上方に位置する２本の導体に設けられた取付金具４ａ，４ｂに回動自在にそれぞれ取付けられている。なお、図３（ａ）は、図１のＢ−Ｂ線拡大断面図、図３（ｂ）は、図３（ａ）のＣ−Ｃ断面図である。
【００１０】
上述のように、ジャンパ支持装置２ａ，２ｂは、多導体からなるジャンパ線Ｊの上方に位置する導体のみに取付けられるので、ジャンパ支持装置２ａ，２ｂとジャンパ線Ｊとの接続部分が簡素化される。
【００１１】
また、ジャンパ支持装置の両端が耐張がいし装置と取付金具４ａ，４ｂにそれぞれ回動自在に結合され、かつ、取付金具４ａ，４ｂは上方に位置する導体に取付けてあるので、ジャンパ線Ｊが一対のジャンパ支持装置２ａ，２ｂでほぼ水平状に張設されることができる。そして、ほぼ水平状に張設されることにより、ジャンパ線Ｊの深さ（アームａからジャンパ線までの垂直距離）が小さくなり、したがって、鉄塔に取付けられる上下のアームの間隔を小さくできるとともに、ジャンパ線Ｊが張設されることによりジャンパ線の横振れ量も抑えられることから、鉄塔自身も小型化することができる。
さらに、ジャンパ支持装置２ａ，２ｂは、ジャンパ線の上方の導体に取り付けられた取付金具３ａ，３ｂに回動自在に結合されているから、ジャンパ線張設施工時にジャンパ支持装置２ａ，２ｂを張り上げていく時は、上方のジャンパ線のみを吊り上げるため、下方のジャンパ線との位置関係を保つための自由度が確保できるとともに、スペーサのジャンパ線把持部での応力集中が生じにくくなり、断線のおそれがない。従って、施工が容易になるとともに、施工管理を容易化することができる。
【００１２】
なお、上述の例では、ジャンパ線Ｊを４導体としたが、２導体又は３導体、あるいは５導体以上の場合も同様に適用し、同様の作用効果を得ることができる。
【００１３】
【発明の効果】
上述したように、本発明によれば、ジャンパ支持装置の他端は、多導体からなるジャンパ線のうち、上方に位置する導体に取付けられた取付金具に結合されるので、ジャンパ支持装置とジャンパ線との接続部分が簡素化され、施工が容易になる。また、ジャンパ支持装置は、上方の導体に取り付けられた取付金具に回動自在に結合されているので、施工時は上方のジャンパ線のみを吊り上げるから、下方のジャンパ線との位置関係を保つための自由度が確保できるとともに、スペーサのジャンパ線把持部での応力集中が生じにくくなる。従って、施工中に位置調整を特段行わなくても局部的に応力が発生しないので、施工及び施工管理が容易になる。
【図面の簡単な説明】
【図１】  本発明の一実施の形態に係るジャンパ装置の概略構成図である。
【図２】  図１のＡ−Ａ線拡大断面図である。
【図３】  （ａ）は、図１のＢ−Ｂ線拡大断面図、（ｂ）は、（ａ）のＣ−Ｃ断面図である。
【符号の説明】
ａ  アーム
Ｌ  送電線
Ｊ  ジャンパ線
Ｓ  スペーサ
１ａ，１ｂ  耐張がいし装置
２ａ，２ｂ  ジャンパ支持装置
４ａ，４ｂ  取付金具
【図１】
0003841609.tif 000002
【図２】
0003841609.tif 000003
【図３】
0003841609.tif 000004